(57)【要約】【課題】載置位置に載置されたロール体の回転による浮き上がりを抑制できる記録装置を提供する。【解決手段】記録装置１１は、媒体に記録を行う記録部と、媒体が巻かれた状態のロール体Ｒを着脱可能に載置する載置位置を有し、載置位置に載置されたロール体Ｒから媒体を巻き解いて供給する供給部１３と、載置位置にロール体Ｒを案内する案内部４１と、供給部１３から記録部に向かう搬送方向Ｙに媒体を搬送する搬送部とを備える。案内部４１は、ロール体Ｒを載置位置に案内する際に、ロール体Ｒを、記録部に対して搬送方向Ｙにおいて離れるように且つ重力方向Ｚに案内してから記録部に対して搬送方向Ｙにおいて近づくように案内する案内経路４３を有している。【選択図】図４
2018171733.tif 000002
【特許請求の範囲】
【請求項１】
媒体に記録を行う記録部と、
前記媒体が巻かれた状態のロール体を着脱可能に載置する載置位置を有し、前記載置位置に載置された前記ロール体から前記媒体を巻き解いて供給する供給部と、
前記載置位置に前記ロール体を案内する案内部と、
前記供給部から前記記録部に向かう搬送方向に前記媒体を搬送する搬送部と、
を備え、
前記案内部は、前記ロール体を前記載置位置に案内する際に、前記ロール体を、前記記録部に対して前記搬送方向において離れるように且つ重力方向に案内してから前記記録部に対して前記搬送方向において近づくように案内する案内経路を有していることを特徴とする記録装置。
【請求項２】
前記供給部は、駆動力伝達部を有しており、
前記ロール体を前記載置位置に載置した際に、前記ロール体を回転可能な回転部と前記駆動力伝達部とが係合することを特徴とする請求項１に記載の記録装置。
【請求項３】
前記案内部は、前記回転部と前記駆動力伝達部との係合位置よりも前記搬送方向の上流側に突出する突起を有していることを特徴とする請求項２に記載の記録装置。
【請求項４】
前記回転部の前記載置位置からの移動を阻害可能な移動阻害部を備えることを特徴とする請求項２または請求項３に記載の記録装置。
【請求項５】
前記供給部を覆うカバーを備え、
前記移動阻害部は、前記カバーの開閉動作に連動して移動することを特徴とする請求項４に記載の記録装置。
【請求項６】
前記駆動力伝達部は、前記載置位置に対して前記搬送方向の下流側に配置されていることを特徴とする請求項２〜請求項５のうちいずれか一項に記載の記録装置。
【発明の詳細な説明】
【技術分野】
【０００１】
本発明は、例えばロール紙に印刷するインクジェット式プリンターなどの記録装置に関する。
【背景技術】
【０００２】
一般に、記録装置の一種として、記録ヘッドから用紙などの媒体にインクを噴射して印刷するインクジェット式プリンターが広く知られている。こうしたプリンターの中には、ロール紙を記録ヘッドに向けて給紙する給紙装置を備えたものがある。このような給紙装置は、従来、例えば特許文献１に示すものが知られている。
【０００３】
特許文献１の給紙装置は、ロール紙がセットされる枠体と、枠体にセットされるロール紙に挿入されてロール紙を支持するとともに回転軸を有した支持部材と、モーターと、モーターの動力を回転軸に伝達する動力伝達手段とを備えている。回転軸は、枠体の軸受部に回転可能に支持されている。動力伝達手段は、回転軸に設けられたピニオンギヤと、モーターの駆動軸に設けられたピニオンギヤと、これら２つのピニオンギヤと噛合するように配置された４つのギヤとによって構成されている。
【０００４】
モーターの駆動力は、モーターのピニオンギヤ、４つのギヤ、及び回転軸のピニオンギヤを介して支持部材に伝達される。支持部材にモーターの駆動力が伝達されると、支持部材と共にロール紙が回転されながら繰り出される。
【先行技術文献】
【特許文献】
【０００５】
【特許文献１】特開２００５−３０６５４４号公報
【発明の概要】
【発明が解決しようとする課題】
【０００６】
ところで、上述のような特許文献１の給紙装置では、ロール紙の上側から記録紙が引き出される第２の形態において、支持部材が挿入されたロール紙を枠体にセットした状態で、回転軸のピニオンギヤが、直接噛合するギヤから受ける回転力によって記録紙を巻き取る方向にロール紙が回転されると、このギヤによって回転軸がピニオンギヤにおいて持ち上げられることがある。この場合、軸受部に支持された回転軸の上方への移動が特に阻害されないため、回転軸が枠体の軸受部から浮き上がり、ひいてはロール紙が枠体から浮き上がるという問題がある。
【０００７】
本発明は、このような従来技術に存在する問題点に着目してなされた。その目的は、載置位置に載置されたロール体の回転による浮き上がりを抑制できる記録装置を提供することにある。
【課題を解決するための手段】
【０００８】
以下、上記課題を解決するための手段及びその作用効果について記載する。
上記課題を解決する記録装置は、媒体に記録を行う記録部と、前記媒体が巻かれた状態のロール体を着脱可能に載置する載置位置を有し、前記載置位置に載置された前記ロール体から前記媒体を巻き解いて供給する供給部と、前記載置位置に前記ロール体を案内する案内部と、前記供給部から前記記録部に向かう搬送方向に前記媒体を搬送する搬送部と、を備え、前記案内部は、前記ロール体を前記載置位置に案内する際に、前記ロール体を、前記記録部に対して前記搬送方向において離れるように且つ重力方向に案内してから前記記録部に対して前記搬送方向において近づくように案内する案内経路を有している。
【０００９】
この構成によれば、ロール体が載置位置に位置する状態で媒体を巻き解くために回転されても、案内経路が曲がっているため、ロール体の移動が抑制される。したがって、載置位置に載置されたロール体の回転による浮き上がりを抑制できる。
【００１０】
上記記録装置において、前記供給部は、駆動力伝達部を有しており、前記ロール体を前記載置位置に載置した際に、前記ロール体を回転可能な回転部と前記駆動力伝達部とが係合することが好ましい。
【００１１】
この構成によれば、ロール体が案内経路によって載置位置に案内される直前まで回転部と駆動力伝達部とが係合しないので、ロール体の載置位置に対する着脱作業を容易に行うことができる。
【００１２】
上記記録装置において、前記案内部は、前記回転部と前記駆動力伝達部との係合位置よりも前記搬送方向の上流側に突出する突起を有していることが好ましい。
この構成によれば、案内部がロール体に取り付けられた回転部を案内経路に沿って載置位置まで案内する場合に、突起によって回転部を迂回させることができる。
【００１３】
上記記録装置は、前記回転部の前記載置位置からの移動を阻害可能な移動阻害部を備えることが好ましい。
この構成によれば、移動阻害部によって回転部の載置位置からの移動を阻害することができる。
【００１４】
上記記録装置は、前記供給部を覆うカバーを備え、前記移動阻害部は、前記カバーの開閉動作に連動して移動することが好ましい。
この構成によれば、カバーの開閉動作に連動して移動阻害部を移動させることができるので、操作性を向上することができる。
【００１５】
上記記録装置において、前記駆動力伝達部は、前記載置位置に対して前記搬送方向の下流側に配置されていることが好ましい。
この構成によれば、回転部が載置位置に載置された状態で媒体を搬送方向の下流側に搬送する際に回転部が搬送方向の下流側に向かって転がる方向に回転されるようにロール体を配置することで、載置位置における回転部の駆動力伝達部に対する係合状態を安定させることができる。
【図面の簡単な説明】
【００１６】
【図１】一実施形態の記録装置の斜視図。
【図２】図１の断面模式図。
【図３】図１の記録装置のカバーを開けたときの状態を示す斜視図。
【図４】カバーが開いた状態の記録装置内の供給部とその周辺を走査方向の一方側から見たときの状態を示す側面図。
【図５】カバーが閉じた状態の記録装置内の供給部とその周辺を走査方向の一方側から見たときの状態を示す側面図。
【図６】カバーが開いた状態の記録装置内の供給部とその周辺を走査方向の他方側から見たときの状態を示す側面図。
【図７】カバーが閉じた状態の記録装置内の供給部とその周辺を走査方向の他方側から見たときの状態を示す側面図。
【図８】変更例の案内経路を示す模式図。
【図９】変更例の案内経路を示す模式図。
【図１０】変更例の案内経路を示す模式図。
【発明を実施するための形態】
【００１７】
以下、記録装置の一実施形態を図面に従って説明する。
図１及び図２に示すように、記録装置１１は、例えばインクジェット式プリンターなどによって構成され、略直方体状に形成された筐体１２を備えている。筐体１２内には、媒体Ｍが巻かれた状態のロール体Ｒから媒体Ｍを巻き解いて供給する供給部１３と、媒体Ｍを支持する支持部１４と、媒体Ｍを搬送する搬送部１５と、媒体Ｍに記録（印刷）を行う記録部１６と、記録後（記録済み）の媒体Ｍを切断する切断部１７と、これらの構成を制御する制御部１８とが配置されている。
【００１８】
以下の説明では、媒体Ｍが記録部１６によって走査される方向を「走査方向Ｘ」とし、媒体Ｍが搬送される方向を「搬送方向Ｙ」とし、重力が作用する方向を「重力方向Ｚ」とする。走査方向Ｘ、搬送方向Ｙ、及び重力方向Ｚは互いに交差（直交）する方向である。
【００１９】
供給部１３は、媒体Ｍを巻かれた状態（巻き重ねた状態）にしたロール体Ｒを着脱可能に載置する載置位置と、ロール体Ｒの中心部にロール体Ｒと一体回転可能に挿入された走査方向Ｘに延びるスピンドル１９を回転駆動する第１回転機構２０とを有している。載置位置は、ロール体Ｒを記録装置１１にセットした際にロール体Ｒが載置される位置であり、図２、図３及び図４においてロール体Ｒが載置されている位置である。スピンドル１９は、ロール体Ｒの中心部に挿入されることによってロール体Ｒを保持し、一端部がロール体Ｒから走査方向の外側に突出している。
【００２０】
スピンドル１９には、例えば種類の異なる媒体Ｍや走査方向Ｘにおける寸法（幅サイズ）の異なるロール体Ｒが保持される。第１回転機構２０は、例えばモーター及び減速機などによって構成される。供給部１３は、第１回転機構２０の駆動により、載置位置に載置されたロール体Ｒを、スピンドル１９を介して一方向（図２では反時計方向）に回転させる。これにより、媒体Ｍは、ロール体Ｒから巻き解かれることで、搬送方向Ｙの下流側へ繰り出されて供給される。
【００２１】
支持部１４は、搬送方向Ｙの上流側から搬送方向Ｙの下流側に向かって媒体Ｍの搬送経路を構成する第１支持部２１及び第２支持部２２を備えている。第１支持部２１は、供給部１３から繰り出された媒体Ｍを第２支持部２２に向けて案内する。第２支持部２２は、記録部１６によって記録が行われる媒体Ｍを支持し、記録が行われた後の媒体Ｍを切断部１７に向けて案内する。
【００２２】
搬送部１５は、媒体Ｍに搬送力を付与する搬送ローラー２３と、媒体Ｍを搬送ローラー２３に押し付ける従動ローラー２４と、搬送ローラー２３を回転駆動する第２回転機構２５とを備えている。搬送ローラー２３及び従動ローラー２４は、走査方向Ｘを軸方向とするローラーである。
【００２３】
搬送ローラー２３は、媒体Ｍの搬送経路の鉛直下方に配置されている。従動ローラー２４は、媒体Ｍの搬送経路の鉛直上方に配置されている。第２回転機構２５は、例えばモーター及び減速機などによって構成される。搬送部１５は、搬送ローラー２３及び従動ローラー２４で媒体Ｍを挟んだ状態で搬送ローラー２３を回転させることで、供給部１３から記録部１６に向かう搬送方向Ｙに媒体Ｍを搬送する。
【００２４】
記録部１６は、走査方向Ｘに延びるガイド軸２６と、走査方向Ｘに移動可能にガイド軸２６に支持されるキャリッジ２７と、キャリッジ２７に支持されて媒体Ｍにインクを吐出する複数のノズル（図示略）を有した吐出ヘッド２８と、キャリッジ２７を走査方向Ｘに移動させる第１移動機構２９とを備えている。
【００２５】
吐出ヘッド２８は、ノズル（図示略）からインクを吐出するために駆動される圧電素子などのアクチュエーター（図示略）をノズル毎に有するいわゆるインクジェットヘッドである。吐出ヘッド２８は、キャリッジ２７に支持された状態において各ノズルの開口を第２支持部２２に向けている。
【００２６】
第１移動機構２９は、モーター及び減速機を備え、このモーターの回転力をキャリッジ２７の走査方向Ｘへの移動力に変換する機構である。本実施形態では、第１移動機構２９が駆動されることで、キャリッジ２７が吐出ヘッド２８を支持した状態で走査方向Ｘに往復移動する。
【００２７】
切断部１７は、走査方向Ｘに延びるガイド部材３０と、走査方向Ｘに移動可能にガイド部材３０に支持される一対の回転刃３１と、一対の回転刃３１を回転させながら走査方向Ｘに移動させる第２移動機構３２とを備えている。第２移動機構３２は、モーター及び減速機を備え、このモーターの回転力を、一対の回転刃３１を回転させる回転力と、一対の回転刃３１の走査方向Ｘへの移動力とに変換する機構である。本実施形態では、第２移動機構３２が駆動されると、一対の回転刃３１が媒体Ｍを挟みながら走査方向Ｘに移動して媒体Ｍが所定の長さで切断される。
【００２８】
図２及び図３に示すように、筐体１２の上面における搬送方向Ｙの上流側の端部には、供給部１３を覆う略矩形板状のカバー３３が開閉可能に設けられている。カバー３３は、筐体１２内の供給部１３の載置位置にロール体Ｒをセットしたり筐体１２内の供給部１３の載置位置に載置されたロール体Ｒを取り出したりする際に開閉される。カバー３３は、走査方向Ｘに延びる第１軸３４を回動中心として回動する第１カバー３５と、走査方向Ｘに延びる第２軸３６を回動中心として回動する第２カバー３７とを備えている。
【００２９】
第２カバー３７の基端部は、第２軸３６を介して筐体１２に回動可能に取着されている。第１カバー３５の基端部は、第１軸３４を介して第２カバー３７の先端部に取着されている。第２軸３６は、カバー３３における搬送方向Ｙの上流側の端部に配置されている。第１軸３４は、カバー３３における搬送方向Ｙの略中央部に配置されている。
【００３０】
カバー３３は、記録装置１１に例えば単票紙などを手差しする場合に、第１カバー３５のみが開けられる。カバー３３は、例えば筐体１２内の供給部１３の載置位置にロール体Ｒをセットする場合に、第１カバー３５が開けられた状態で第２カバー３７が開けられる。図１では、カバー３３が閉じられた状態、すなわち、第１カバー３５及び第２カバー３７の両方が閉じられた状態が示されている。図３では、カバー３３が開けられた状態、すなわち、第１カバー３５及び第２カバー３７の両方が開けられた状態が示されている。
【００３１】
筐体１２の上面における搬送方向Ｙの下流側の端部には、筐体１２内の記録部１６や切断部１７のメンテナンスを行う際に開閉される蓋３８が走査方向Ｘに延びる軸３９を中心に回動可能に設けられている。筐体１２の上面における蓋３８と走査方向Ｘで隣り合う位置には、記録装置１１の各種の操作を行うための操作部６０が設けられている。
【００３２】
筐体１２における搬送方向Ｙの下流側の端部に位置する側壁には、筐体１２内の記録部１６で記録されてから切断部１７で切断された媒体Ｍを筐体１２外へ排出するための排出口４０が貫通するように形成されている。排出口４０は、走査方向Ｘに延びるスリット状に形成されている。
【００３３】
次に、記録装置１１における供給部１３の載置位置周辺の構成について詳述する。
図４に示すように、記録装置１１は、筐体１２内における搬送方向Ｙの上流側の端部に、供給部１３の載置位置までロール体Ｒを案内する案内部４１を備えている。ロール体Ｒを保持するスピンドル１９におけるロール体Ｒから突出した部分の先端には、ロール体Ｒを載置位置に載置した際に、ロール体Ｒを回転可能な回転部の一例としての従動歯車４２が設けられている。
【００３４】
案内部４１は、ロール体Ｒを載置位置に案内する際に、ロール体Ｒを保持したスピンドル１９の従動歯車４２を、図４の矢印で示すように、記録部１６に対して搬送方向Ｙにおいて離れるように且つ重力方向Ｚに案内してから記録部１６に対して搬送方向Ｙにおいて近づくように案内する案内経路４３を有している。つまり、案内経路４３は、走査方向Ｘから見て、搬送方向Ｙの上流側に膨らむように湾曲した形状になっている。
【００３５】
供給部１３の第１回転機構２０を構成する減速機は、複数の歯車からなる歯車列６１を備えている。歯車列６１を構成する複数の歯車のうち載置位置に載置されたロール体Ｒを保持したスピンドル１９の従動歯車４２と噛合（係合）する歯車は、従動歯車４２に回転駆動力を伝達する駆動力伝達部の一例としての駆動歯車４４とされている。
【００３６】
駆動歯車４４は、スピンドル１９によって保持されたロール体Ｒを載置位置に載置した際に、スピンドル１９の従動歯車４２と噛合（係合）するように、従動歯車４２の載置位置に対して搬送方向Ｙの下流側に固定状態で配置されている。この場合、従動歯車４２は、駆動歯車４４と搬送方向Ｙに並んだ状態で駆動歯車４４よりも搬送方向Ｙの上流側に位置している。スピンドル１９（従動歯車４２）の載置位置とは、スピンドル１９によって保持されたロール体Ｒを載置位置に載置したときに、スピンドル１９（従動歯車４２）が載置される位置である。
【００３７】
案内部４１は、スピンドル１９によって保持されたロール体Ｒを載置位置に載置した状態において、従動歯車４２と駆動歯車４４との噛合位置（係合位置）よりも搬送方向Ｙの上流側に突出する突起４５を有している。すなわち、案内経路４３の途中位置における搬送方向Ｙの下流側の壁面には、搬送方向Ｙの上流側に向かって突出する突起４５が形成されている。
【００３８】
図６に示すように、スピンドル１９によって保持されたロール体Ｒを載置位置に載置した状態で筐体１２内における従動歯車４２に対してロール体Ｒを挟んで対向する位置には、スピンドル１９（従動歯車４２）の載置位置からの移動を阻害可能な移動阻害部４６が配置されている。移動阻害部４６は、走査方向Ｘに延びる回動軸４７と、回動軸４７に設けられた第１アーム４８と、回動軸４７に設けられた第２アーム４９とを備えている。
【００３９】
第１アーム４８は、回動軸４７と直交する方向に延びており、基端部が回動軸４７に固定されている。第１アーム４８の先端部には、走査方向Ｘに延びる軸５０を介してローラー５１が支持されている。ローラー５１は、軸５０を中心に回転可能になっている。
【００４０】
第２アーム４９は、回動軸４７と直交する方向に延びており、基端部が回動軸４７に固定されている。第１アーム４８と第２アーム４９とは、走査方向Ｘの位置が互いにずれるように配置されている。走査方向Ｘから見たときの第１アーム４８と第２アーム４９とのなす角度は、約９０°になっている。
【００４１】
移動阻害部４６は、回動軸４７を中心として、ローラー５１がスピンドル１９を押えて載置位置からのスピンドル１９の移動を阻害する阻害位置（図５及び図７に示す位置）と、ローラー５１がスピンドル１９から離れて載置位置からのスピンドル１９の移動を許容する許容位置（図４及び図６に示す位置）との間で回動する。移動阻害部４６は、通常、図示しないばねにより許容位置に向けて付勢されている。
【００４２】
第２カバー３７（カバー３３）の基端部には、円弧状の円弧歯車５２が形成されている。円弧歯車５２は、第２カバー３７の開閉動作（回動）に伴って第２軸３６を回動中心として回動する。筐体１２内における円弧歯車５２の下方には、カムユニット５３が走査方向Ｘに延びるカム軸５４を中心に回動可能に設けられている。カムユニット５３は、円弧歯車５２と噛合する半円状の半円歯車５５と、半円歯車５５に一体形成された略三角形状をなすカム５６とを備えている。カム５６は、第２アーム４９の先端部に形成された屈曲部５７と係合可能になっている。
【００４３】
そして、第２カバー３７が開けられると、図６に示すように、円弧歯車５２の回動力が半円歯車５５からカムユニット５３に伝達され、この伝達された回動力によってカム５６が第２アーム４９の屈曲部５７から退避するようにカムユニット５３が回動する。このとき、第２アーム４９は、カム５６に押されないため、移動阻害部４６が図示しないばねの付勢力によって許容位置に回動される。
【００４４】
一方、第２カバー３７が閉じられると、図７に示すように、円弧歯車５２の回動力が半円歯車５５からカムユニット５３に伝達され、この伝達された回動力によってカム５６が第２アーム４９の屈曲部５７を押すようにカムユニット５３が回動する。これにより、移動阻害部４６が図示しないばねの付勢力に抗して阻害位置に回動される。したがって、移動阻害部４６は、第２カバー３７（カバー３３）の開閉動作に連動して許容位置と阻害位置との間で回動（移動）する。
【００４５】
次に、記録装置１１の作用について説明する。
スピンドル１９によって保持されたロール体Ｒを供給部１３の載置位置にセットする場合には、まず、図５に示す閉じた状態の第２カバー３７（カバー３３）を開ける。すると、図４に示すように、第２カバー３７の開動作に連動して移動阻害部４６が阻害位置から許容位置へ回動する。これにより、案内経路４３に突出していた移動阻害部４６のローラー５１が案内経路４３から退避する。
【００４６】
続いて、スピンドル１９によって保持されたロール体Ｒを供給部１３へ向かって挿入すると、スピンドル１９の従動歯車４２が案内経路４３によって載置位置へ案内される。このとき、案内経路４３の途中位置における搬送方向Ｙの下流側の壁面には、搬送方向Ｙの上流側に向かって突出する突起４５が形成されている。このため、従動歯車４２は、案内経路４３により突起４５を回り込むようにして載置位置へ案内される。
【００４７】
すなわち、従動歯車４２は、案内経路４３により、搬送方向Ｙの上流側へ案内されつつ重力方向Ｚに案内されてから、搬送方向Ｙの下流側へ案内されつつ重力方向Ｚに案内されるようにして載置位置へ案内される。この案内経路４３による従動歯車４２の載置位置への案内に伴ってロール体Ｒも載置位置へ案内される。
【００４８】
このとき、従動歯車４２は、駆動歯車４４に対して搬送方向Ｙの上流側から噛合する。このため、従動歯車４２は、案内経路４３による載置位置への案内途中で駆動歯車４４と係合しない。すなわち、駆動歯車４４は、案内経路４３による従動歯車４２の載置位置への案内を妨げない。また、駆動歯車４４に対して、従動歯車４２が噛合し易い方向から案内されて噛合するので、従動歯車４２の歯と駆動歯車４４の歯とが衝突して破損することが低減される。
【００４９】
従動歯車４２が載置位置へ案内されて駆動歯車４４と噛合した後は、開けた状態の第２カバー３７を閉じる。すると、図５に示すように、第２カバー３７の閉動作に連動して移動阻害部４６が許容位置から阻害位置へ回動する。これにより、案内経路４３から退避していた移動阻害部４６のローラー５１が案内経路４３に突出する。すると、載置位置に位置するスピンドル１９がローラー５１によって押えられ、スピンドル１９が載置位置から移動し難くなる。
【００５０】
そして、第１回転機構２０の図示しないモーターの駆動により駆動歯車４４が第１方向（図５における時計方向）に回転されると、従動歯車４２が第２方向（図５における反時計方向）に回転される。これにより、載置位置に載置されたロール体Ｒがスピンドル１９を介して第２方向（図５における反時計方向）に回転される。すると、ロール体Ｒから媒体Ｍが巻き解かれて搬送方向Ｙの下流側へ繰り出される。ロール体Ｒから巻き解かれて搬送方向Ｙの下流側へ繰り出された媒体Ｍは、記録部１６で記録（印刷）されてから切断部１７で切断された後、排出口４０から排出される。
【００５１】
また、記録装置１１では、記録部１６による媒体Ｍの記録精度を確保するべく、ロール体Ｒから巻き解かれて繰り出される媒体Ｍに付与されるテンションが一定になるように、制御部１８によって第１回転機構２０を制御している。例えば、媒体Ｍが弛みすぎた場合には、駆動歯車４４を第２方向に回転させて従動歯車４２をロール体Ｒと一緒に第１方向に回転させると、媒体Ｍがロール体Ｒに巻き取られて媒体Ｍの弛みが解消される。
【００５２】
このとき、駆動歯車４４を第２方向に回転させると、駆動歯車４４の回転力が従動歯車４２を持ち上げようとする力として従動歯車４２に作用する。すなわち、駆動歯車４４の回転力は、従動歯車４２が設けられたスピンドル１９と一緒にロール体Ｒを持ち上げようとする力として従動歯車４２に作用する。
【００５３】
しかし、案内経路４３は湾曲し、且つ従動歯車４２の持ち上がる上方には突起４５が迫り出し、且つスピンドル１９がローラー５１によって押えられている。このため、従動歯車４２が設けられたスピンドル１９と一緒にロール体Ｒが浮き上がることが効果的に抑制される。なお、ローラー５１は、スピンドル１９を押えた状態でスピンドル１９の回転に伴って従動回転するため、スピンドル１９の回転を妨げない。
【００５４】
以上、詳述した実施形態によれば以下の効果を得ることができる。
（１）記録装置１１は、ロール体Ｒを載置位置に案内する際に、ロール体Ｒを、記録部１６に対して搬送方向Ｙにおいて離れるように且つ重力方向Ｚに案内してから記録部１６に対して搬送方向Ｙにおいて近づくように案内する案内経路４３を備えている。このため、ロール体Ｒが載置位置に位置する状態で媒体Ｍを巻き解くために回転されても、案内経路４３が曲がっているため、ロール体Ｒの載置位置からの移動を抑制できる。したがって、載置位置に載置されたロール体Ｒの回転による浮き上がりを抑制できる。
【００５５】
（２）記録装置１１において、供給部１３は、駆動歯車４４を有しており、ロール体Ｒを載置位置に載置した際に、ロール体Ｒを回転可能な従動歯車４２と駆動歯車４４とが噛合（係合）する。このため、従動歯車４２が案内経路４３によって載置位置に案内される直前まで従動歯車４２と駆動歯車４４とが噛合（係合）しないので、ロール体Ｒの載置位置に対する着脱作業を容易に行うことができる。また、噛合し易い方向に案内されて、従動歯車４２と駆動歯車４４とが噛合するので、従動歯車４２及び駆動歯車４４が破損する可能性を低減させることができる。
【００５６】
（３）記録装置１１において、案内部４１は、従動歯車４２と駆動歯車４４との噛合位置（係合位置）よりも搬送方向Ｙの上流側に突出する突起４５を有している。このため、案内部４１がロール体Ｒに取り付けられた従動歯車４２を案内経路４３に沿って載置位置まで案内する場合に、突起４５によって従動歯車４２を迂回させることができる。
【００５７】
（４）記録装置１１は、従動歯車４２の載置位置からの移動を阻害可能な移動阻害部４６を備えている。このため、移動阻害部４６によって従動歯車４２の載置位置からの移動を阻害することができる。
【００５８】
（５）記録装置１１は、供給部１３を覆うカバー３３を備え、移動阻害部４６は、カバー３３の開閉動作に連動して移動する。このため、カバー３３の開閉動作に連動して移動阻害部４６を移動させることができるので、ユーザーの操作性を向上することができる。
【００５９】
（６）記録装置１１において、駆動歯車４４は、従動歯車４２の載置位置に対して搬送方向Ｙの下流側に配置されている。そして、従動歯車４２が載置位置に載置された状態で媒体Ｍを搬送方向Ｙの下流側に繰り出す際に、従動歯車４２が搬送方向Ｙの下流側に向かって転がる方向に回転されるようにロール体Ｒが配置されている。このため、載置位置における従動歯車４２の駆動歯車４４に対する噛合状態（係合状態）を安定させることができる。
【００６０】
（変更例）
なお、上記実施形態は以下のように変更してもよい。
・図８に示すように、案内経路４３は、Ｖ字形状に形成してもよい。
【００６１】
・図９に示すように、案内経路４３は、略Ｕ字形状であって２箇所で屈曲するように形成してもよい。
・図１０に示すように、案内経路４３は、Ｕ字形状に形成してもよい。
【００６２】
・記録装置１１において、駆動歯車４４は、必ずしも従動歯車４２の載置位置に対して搬送方向Ｙの下流側に配置する必要はない。
・記録装置１１において、移動阻害部４６は、必ずしもカバー３３の開閉動作に連動して移動する必要はない。すなわち、例えば、移動阻害部４６を移動させるための動力源を有した移動機構を別途設けて、この動力源の動力によって移動阻害部４６を許容位置と阻害位置との間で回動（移動）するようにしてもよい。
【００６３】
・記録装置１１において、移動阻害部４６を省略してもよい。
・記録装置１１において、案内部４１の突起４５は省略してもよい。
・記録装置１１において、駆動歯車４４を省略してもよい。この場合、スピンドル１９も省略され、案内経路４３がロール体Ｒを案内するように構成される。
【００６４】
・記録装置１１は、印刷機能のみを備えるプリンターであってもよいし、ファクシミリ、複写装置、またはこれらの装置を備える複合機に備えられるプリンターであってもよい。
【００６５】
・記録装置１１は、吐出ヘッド２８が移動しない所謂ラインヘッドタイプのプリンターであってもよい。
・記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。記録装置１１は、例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。記録装置１１は、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。ここで言う「流体」とは、気体のみからなる流体を含まない概念である。流体には、例えば、液体（無機溶剤、有機溶剤、溶液、液状樹脂、液状金属（金属融液）等を含む）、液状体、流状体、粉粒体（粒体、粉体を含む）などが含まれる。
【符号の説明】
【００６６】
１１…記録装置、１２…筐体、１３…供給部、１４…支持部、１５…搬送部、１６…記録部、１７…切断部、１８…制御部、１９…スピンドル、２０…第１回転機構、２１…第１支持部、２２…第２支持部、２３…搬送ローラー、２４…従動ローラー、２５…第２回転機構、２６…ガイド軸、２７…キャリッジ、２８…吐出ヘッド、２９…第１移動機構、３０…ガイド部材、３１…回転刃、３２…第２移動機構、３３…カバー、３４…第１軸、３５…第１カバー、３６…第２軸、３７…第２カバー、３８…蓋、３９…軸、４０…排出口、４１…案内部、４２…回転部の一例としての従動歯車、４３…案内経路、４４…駆動力伝達部の一例としての駆動歯車、４５…突起、４６…移動阻害部、４７…回動軸、４８…第１アーム、４９…第２アーム、５０…軸、５１…ローラー、５２…円弧歯車、５３…カムユニット、５４…カム軸、５５…半円歯車、５６…カム、５７…屈曲部、６０…操作部、６１…歯車列、Ｍ…媒体、Ｒ…ロール体、Ｘ…走査方向、Ｙ…搬送方向、Ｚ…重力方向。
【図１】
2018171733.tif 000003
【図２】
2018171733.tif 000004
【図３】
2018171733.tif 000005
【図４】
2018171733.tif 000006
【図５】
2018171733.tif 000007
【図６】
2018171733.tif 000008
【図７】
2018171733.tif 000009
【図８】
2018171733.tif 000010
【図９】
2018171733.tif 000011
【図１０】
2018171733.tif 000012